(57)【要約】【課題】無線端末装置で構成されるアドホック無線通信ネットワークに対して用いられ、簡単な構成で出力電力の最適化を可能にすることにより、低消費電力と、低消費電力による電波干渉の低減とを実現できるアドホック無線通信ネットワーク用端末装置における送信電力設定方法を提供する。【解決手段】送信元端末から送信先端末の各々に対する送信信号の送信電力を設定するにあたり、送信元端末において、以下のことを行う。送信元端末から、接続要求信号を、最小電力、中間電力及び最大電力の各送信電力の順序で、それぞれ発信する。接続要求信号を受信した送信先端末から、識別情報を含む応答信号を受信して、応答信号から識別情報を抽出する。抽出された識別情報と予め登録された識別情報とを照合して一致する識別情報がある場合には、接続要求信号の送信電力と一致する識別情報とを対応付けて送信元端末のメモリに登録する。【選択図】図３ 
2006033601.tif 000002
【特許請求の範囲】
【請求項１】
アドホック無線通信ネットワークを構成する、複数の端末装置の１つを送信元端末とし、及び残りの端末装置を送信先端末とする場合に、
前記送信元端末から前記送信先端末の各々に対する送信信号の送信電力を設定するにあたり、前記送信元端末において、
（ａ）該送信元端末のメモリに、全ての前記送信先端末を個別に特定する識別情報を予め、登録しておくとともに、送信電力を最小電力、最大電力及び最小と最大の中間電力にそれぞれ設定する送信レベルとして、最小送信レベル、最大送信レベル及び中間送信レベルを登録しておき、
（ｂ）前記送信元端末から、接続要求信号を、前記最小電力、中間電力及び最大電力の各送信電力の順序で、それぞれ発信し、
（ｃ）前記接続要求信号を受信した送信先端末から、識別情報を含む応答信号を受信して、該応答信号から識別情報を抽出し、
（ｄ）抽出された識別情報と予め登録された識別情報とを照合して一致する識別情報がある場合には、前記接続要求信号の送信電力と該一致する識別情報とを対応付けて前記送信元端末の前記メモリに登録し、及び
（ｅ）該送信電力と一致する識別情報との対応付けは、
（ｅ−１）前記送信電力が最小電力のときは、該最小電力に設定する最小送信レベルを登録し、
（ｅ−２）前記送信電力が中間電力のときは、一致する識別情報のうち、前記最小送信レベルが未登録の識別情報に対してのみ前記中間電力に設定する中間送信レベルを登録し、及び
（ｅ−３）前記送信電力が最大電力のときは、一致する識別情報のうち、前記最小送信レベル及び前記中間送信レベルが未登録の識別情報に対してのみ、前記最大電力に設定する最大送信レベルを登録する
ことを含むことを特徴とする、アドホック無線通信ネットワーク用端末装置における送信電力設定方法。
【請求項２】
アドホック無線通信ネットワークを構成する、複数の端末装置の１つを送信元端末とし、及び残りの端末装置を送信先端末とする場合に、
前記送信元端末から前記送信先端末の各々に対する送信信号の送信電力を設定するにあたり、前記送信元端末において、
（ａ）該送信元端末のメモリに、全ての前記送信先端末を個別に特定する識別情報を予め、登録しておくとともに、送信電力を最小電力、最大電力及び最小と最大の中間電力にそれぞれ設定する送信レベルとして、最小送信レベル、最大送信レベル及び中間送信レベルを登録しておき、
（ｂ）前記送信元端末から、接続要求信号を、前記最大電力、中間電力及び最小電力の各送信電力の順序で、それぞれ発信し、
（ｃ）前記接続要求信号を受信した送信先端末から、識別情報を含む応答信号を受信して、該応答信号から識別情報を抽出し、
（ｄ）抽出された識別情報と予め登録された識別情報とを照合して一致する識別情報がある場合には、前記接続要求信号の送信電力と該一致する識別情報とを対応付けて前記送信元端末の前記メモリに登録し、及び
（ｅ）該送信電力と一致する識別情報との対応付けは、
（ｅ−１）前記送信電力が最小電力のときは、該最小電力に設定する最小送信レベルを登録し、
（ｅ−２）前記送信電力が中間電力のときは、該中間電力に設定する中間送信レベルを登録し、及び
（ｅ−３）前記送信電力が最大電力のときは、該最大電力に設定する最大送信レベルを登録する
ことを含むことを特徴とする、アドホック無線通信ネットワーク用端末装置における送信電力設定方法。
【請求項３】
アドホック無線通信ネットワークを構成する、複数の端末装置の１つを送信元端末とし、及び残りの端末装置を送信先端末とする場合に、
前記送信元端末から前記送信先端末の各々に対する送信信号の送信電力を設定するにあたり、前記送信元端末において、
（ａ）該送信元端末のメモリに、全ての前記送信先端末を個別に特定する識別情報を予め、登録しておくとともに、送信電力を最大電力に設定する送信レベルとして、最大送信レベルを登録しておき、
（ｂ）前記送信元端末から、接続要求信号を最大電力で発信し、
（ｃ）前記接続要求信号を受信した送信先端末から、識別情報及び前記接続要求信号の該送信先端末での受信電力の情報を含む応答信号を受信して、該応答信号から識別情報及び前記受信電力を抽出し、
（ｄ）抽出された識別情報と予め登録された識別情報とを照合して一致する識別情報がある場合には、前記接続要求信号の送信電力及び前記受信電力を用いて算出した送信レベルと該一致する識別情報とを対応付けて前記送信元端末の前記メモリに登録する
ことを含むことを特徴とする、アドホック無線通信ネットワーク用端末装置における送信電力設定方法。
【請求項４】
前記送信レベルを算出するにあたり、前記接続要求信号の送信電力と前記受信電力との差にマージンを加えたものを送信レベルとする
ことを特徴とする請求項３に記載のアドホック無線通信ネットワーク用端末装置における送信電力設定方法。
【請求項５】
前記送信レベルを算出した後、
（ｅ）前記応答信号の、前記送信元端末での受信電力の情報を含む確認信号を、前記抽出された識別情報で特定される送信先端末に発信し、
（ｆ）前記確認信号を受信した該送信先端末から、識別情報と前記確認信号の受信電力の情報とを含む試験信号を受信して、該試験信号から識別情報と前記確認信号の受信電力とを抽出し、
（ｇ）前記試験信号の受信電力の情報を含む確認信号を、前記抽出された識別情報で特定される送信先端末に発信する
ことを特徴とする請求項３又は４に記載のアドホック無線通信ネットワーク用端末装置における送信電力設定方法。
【請求項６】
送受信アンテナ、送受信データ制御部、送受信レベル制御部、送信部、送信電力設定部、受信部、及び受信電力検出部を備えるアドホック無線通信ネットワークで用いられる端末装置であって、
前記送受信データ制御部と前記送受信アンテナとを接続するように、前記送信部及び前記受信部が並列に設けられ、
前記送受信レベル制御部は、前記送信電力設定部を介して前記送信部に接続され、前記送信電力設定部は、前記送受信レベル制御部からの送信電力設定信号に応答して前記送信部での送信電力を設定し、
前記受信部は、前記受信電力検出部を介して前記送受信レベル制御部に接続され、前記受信電力検出部は、前記受信部での受信電力を検出して前記送受信レベル制御部に受信電力信号を発信する
ことを特徴とするアドホック無線通信ネットワーク用端末装置。
【請求項７】
請求項６に記載のアドホック無線通信ネットワーク用端末装置を含んで構成されるアドホック無線通信ネットワーク。
【発明の詳細な説明】
【技術分野】
【０００１】
この発明は、アドホック無線通信ネットワーク用端末装置における送信電力設定方法、当該送信電力設定に用いられるアドホック無線通信ネットワーク用端末装置、及び、アドホック無線通信ネットワークに関するものである。
【背景技術】
【０００２】
従来の無線端末装置では、無線通信を行う際の送信電力が一定のレベルに固定されている。従って、無線端末装置が送信可能な範囲も一定に保たれている。この場合、送信元の無線端末装置と送信先の無線端末装置との距離が近い場合は、過大な送信電力で送信を行うことになり、電池等で電力を供給する無線端末装置では、稼働時間が減少してしまうという課題がある。
【０００３】
これに対し、無線通信センタ装置の総括の元で運用される無線端末装置については、無線端末装置の運用状態におけるＳ／Ｎ比を計測して、このＳ／Ｎ比に基づいて送信電力レベルを自動制御する方法、交信相手方の受信状態を入手して自局の送信電力レベルを自動制御する方法、又は、交信相手方との距離に対応して送信電力レベルを自動制御する方法、による電力制御方法が提案されている（例えば特許文献１参照）。
【特許文献１】特開平５−１６０７７７号公報「無線送信電力制御方式」
【発明の開示】
【発明が解決しようとする課題】
【０００４】
しかしながら、上述の従来例の方法では、個々の無線端末装置は、Ｓ／Ｎ比を計測する場合、送信アンテナと受信アンテナをともに備える必要がある。また、交信相手方の受信状態を用いる場合は、自局の送信データが交信相手方で、正確に受信しない場合は、送信電力を高くするので、必要な送信電力での送信は行えるが、必要以上に大きな電力で送信される可能性がある。また、交信相手方との距離を利用するにあたっては、無線通信センタ装置、及び無線通信端末のほかに、時刻情報送信局が必要となる。
【０００５】
この発明は、上述の問題点に鑑みてなされたものであり、この発明の目的は、無線端末装置で構成されるアドホック無線通信ネットワークに対して用いられ、簡単な構成で出力電力の最適化を可能にすることにより、低消費電力と、低消費電力により電波干渉の低減とを実現できるアドホック無線通信ネットワーク用端末装置における送信電力設定方法を提供するとともに、同時に、この送信電力設定方法を実施するアドホック無線通信ネットワーク用端末装置、及び、アドホック無線通信ネットワークを提供することにある。
【課題を解決するための手段】
【０００６】
この発明の第１の方法発明によれば、下記の特徴を有する。すなわち、アドホック無線通信ネットワークを構成する、複数の端末装置の１つを送信元端末とし、及び残りの端末装置を送信先端末とする場合に、送信元端末から送信先端末の各々に対する送信信号の送信電力を設定するにあたり、送信元端末において、以下のことを行う。
【０００７】
（ａ）送信元端末のメモリに、全ての送信先端末を個別に特定する識別情報を予め、登録しておくとともに、送信電力を最小電力、最大電力及び最小と最大の中間電力にそれぞれ設定する送信レベルとして、最小送信レベル、最大送信レベル及び中間送信レベルを登録しておく。
【０００８】
（ｂ）送信元端末から、接続要求信号を、最小電力、中間電力及び最大電力の各送信電力の順序で、それぞれ発信する。
【０００９】
（ｃ）接続要求信号を受信した送信先端末から、識別情報を含む応答信号を受信して、応答信号から識別情報を抽出する。
【００１０】
（ｄ）抽出された識別情報と予め登録された識別情報とを照合して一致する識別情報がある場合には、接続要求信号の送信電力と一致する識別情報とを対応付けて送信元端末の前記メモリに登録する。
【００１１】
（ｅ）送信電力と一致する識別情報との対応付けは、
（ｅ−１）送信電力が最小電力のときは、最小電力に設定する最小送信レベルとし、
（ｅ−２）送信電力が中間電力のときは、一致する識別情報のうち、最小送信レベルが未登録の識別情報に対してのみ中間電力に設定する中間送信レベルを登録し、及び
（ｅ−３）送信電力が最大電力のときは、一致する識別情報のうち、最小送信レベル及び中間送信レベルが未登録の識別情報に対してのみ、最大電力に設定する最大送信レベルを登録する。
【００１２】
この発明の第２の方法発明によれば、下記の特徴を有する。すなわち、アドホック無線通信ネットワークを構成する、複数の端末装置の１つを送信元端末とし、及び残りの端末装置を送信先端末とする場合に、送信元端末から送信先端末の各々に対する送信信号の送信電力を設定するにあたり、送信元端末において、以下のことを行う。
【００１３】
（ａ）送信元端末のメモリに、全ての送信先端末を個別に特定する識別情報を予め、登録しておくとともに、送信電力を最小電力、最大電力及び最小と最大の中間電力にそれぞれ設定する送信レベルとして、最小送信レベル、最大送信レベル及び中間送信レベルを登録しておく。
【００１４】
（ｂ）送信元端末から、接続要求信号を、最大電力、中間電力及び最小電力の各送信電力の順序で、それぞれ発信する。
【００１５】
（ｃ）接続要求信号を受信した送信先端末から、識別情報を含む応答信号を受信して、応答信号から識別情報を抽出する。
【００１６】
（ｄ）抽出された識別情報と予め登録された識別情報とを照合して一致する識別情報がある場合には、接続要求信号の送信電力と一致する識別情報とを対応付けて送信元端末のメモリに登録する。
【００１７】
（ｅ）送信電力と一致する識別情報との対応付けは、
（ｅ−１）送信電力が最小電力のときは、最小電力に設定する最小送信レベルを登録し、
（ｅ−２）送信電力が中間電力のときは、中間電力に設定する中間送信レベルを登録し、及び
（ｅ−３）送信電力が最大電力のときは、最大電力に設定する最大送信レベルを登録する。
【００１８】
この発明の第３の方法発明によれば、下記の特徴を有する。すなわち、アドホック無線通信ネットワークを構成する、複数の端末装置の１つを送信元端末とし、及び残りの端末装置を送信先端末とする場合に、送信元端末から送信先端末の各々に対する送信信号の送信電力を設定するにあたり、送信元端末において、以下のことを行う。
【００１９】
（ａ）送信元端末のメモリに、全ての送信先端末を個別に特定する識別情報を予め、登録しておくとともに、送信電力を最大電力に設定する送信レベルとして、最大送信レベルを登録しておく。
【００２０】
（ｂ）送信元端末から、接続要求信号を最大電力で発信する。
【００２１】
（ｃ）接続要求信号を受信した送信先端末から、識別情報及び接続要求信号の送信先端末での受信電力の情報を含む応答信号を受信して、応答信号から識別情報及び受信電力を抽出する。
【００２２】
（ｄ）抽出された識別情報と予め登録された識別情報とを照合して一致する識別情報がある場合には、接続要求信号の送信電力及び送信先端末での受信電力を用いて算出した送信レベルと該一致する識別情報とを対応付けて送信元端末のメモリに登録する。
【００２３】
上述した送信レベルを算出するにあたり、好ましくは、接続要求信号の送信電力と送信先端末での受信電力との差にマージンを加えたものを送信レベルとするのが良い。
【００２４】
また、送信レベルを算出した後、好ましくは、以下のことを行うのが良い。
【００２５】
（ｅ）応答信号の送信元端末での受信電力の情報を含む確認信号を、抽出された識別情報で特定される送信先端末に発信する。
【００２６】
（ｆ）確認信号を受信した送信先端末から、識別情報及び確認信号の受信電力の情報を含む試験信号を受信して、試験信号から識別情報及び確認信号の受信電力を抽出する。
【００２７】
（ｇ）試験信号の受信電力の情報を含む確認信号を、抽出された識別情報で特定される送信先端末に発信する。
【００２８】
上述した方法発明を実施するために、この発明のアドホック無線通信ネットワーク用無線端末装置は、送受信アンテナ、送受信データ制御部、送受信レベル制御部、送信部、送信電力設定部、受信部、及び受信電力検出部を備えて構成される。
【００２９】
送信部及び受信部は、送受信データ制御部と送受信アンテナとを接続するように並列に設けられる。
【００３０】
送受信レベル制御部は、送信電力設定部を介して送信部に接続されていて、送信電力設定部は、送受信レベル制御部からの送信電力設定信号に応答して送信部での送信電力を設定する。
【００３１】
受信部は、受信電力検出部を介して送受信レベル制御部に接続されていて、受信電力検出部は、受信部での受信電力を検出して送受信レベル制御部に受信電力信号を発信する。
【００３２】
上述した目的を達成するために、この発明のアドホック無線通信ネットワークは、上述したアドホック無線通信ネットワーク用無線端末装置を含んで構成される。
【発明の効果】
【００３３】
この第１の方法発明のアドホック無線通信ネットワーク用端末装置における送信電力設定方法によれば、最小電力、中間電力及び最大電力の順序で、接続要求信号を発信していく構成となっていて、各送信電力で発信された接続要求信号に対する応答信号に応じて送信電力を設定するので、最適な送信電力に設定することができる。
【００３４】
また、第２の方法発明の、最大電力、中間電力及び最小電力の順序で、接続要求信号を発信していく構成とすれば、最適な送信電力に設定することができるとともに、応答信号に含まれる識別情報から特定される送信元端末に対する送信レベルの登録の有無にかかわらず、送信電力の設定を行うことができるので、最適な送信電力の設定に加えて、送信電力設定の過程が簡単になるという、更なる効果が得られる。
【００３５】
また、第３の方法発明によれば、各送信先端末に対して、最大電力で接続要求信号を発信し、発信した最大電力と、各送信先端末からの応答信号から抽出された、当該送信先端末での受信電力の情報から、送信レベルを算出するので、一度の接続要求信号の発信により、最大の送信電力で通信可能な全ての送信先端末に対して、送信電力の設定を行うことができる。
【００３６】
また、送信レベルの算出にあたり、接続要求信号の送信電力と送信先端末での受信電力との差にマージンを加えたものに設定するので、適切な送信電力に設定することができる。
【００３７】
さらに、送信レベルの算出後に当該送信レベルにより設定された送信電力で、確認信号を発信し、当該確認信号に対する応答信号を受信することにより、設定した送信電力の妥当性を判断することができる。
【００３８】
この発明のアドホック無線通信ネットワーク用端末装置によれば、送受信レベル制御部からの送信電力設定信号に応答して送信部での送信電力を設定することで、出力電力の最適化を図ることができるので、低消費電力が実現できる。
【００３９】
上述のアドホック無線通信ネットワーク用端末装置を含むアドホック無線通信ネットワークによれば、個々の無線通信ネットワーク用端末装置において送信電力の最適化が測られるので、電波干渉が低減され、通信に関わっていない無線端末装置間においても通信を行うことが可能となる。
【発明を実施するための最良の形態】
【００４０】
以下、図を参照して、この発明の実施の形態について説明するが、構成および配置関係についてはこの発明が理解できる程度に概略的に示したものに過ぎない。また、以下、この発明の好適な構成例につき説明するが、単なる好適例にすぎない。従って、この発明は以下の実施の形態に限定されない。
【００４１】
（第１実施形態）
図１を参照して、第１実施形態の送信電力設定方法に用いられるアドホック無線通信ネットワーク用端末装置（以下、単に端末装置と称することもある。）について説明する。図１は、端末装置の構成を説明するための概略図である。
【００４２】
端末装置１０は、送受信アンテナ４１、送信部２１、送信電力設定部３１、受信部２３、受信電力検出部３３、送受信データ制御部６３及び送受信レベル制御部６５を備えて構成されている。送受信データ制御部６３及び送受信レベル制御部６５は、ＭＰＵ（Ｍｉｃｒｏｐｒｏｃｅｓｓｉｎｇ  Ｕｎｉｔ）５０によって機能手段として構成されている。ＭＰＵ５０は、周知の構成とすることができ、ここでは、中央処理装置（ＣＰＵ：Ｃｅｎｔｒａｌ  Ｐｒｏｃｅｓｓｉｎｇ  Ｕｎｉｔ）５１と、メモリとしてのＲＡＭ（Ｒａｎｄｏｍ  Ａｃｃｅｓｓ  Ｍｅｍｏｒｙ）５３及びＲＯＭ（Ｒｅａｄ  Ｏｎｌｙ  Ｍｅｍｏｒｙ）５５を備えている。ＣＰＵ５１は、制御手段６1と、上述した機能手段として送受信データ制御部６３及び送受信レベル制御部６５とを含む。ＣＰＵ５１に備えられた制御手段６１が、ＲＯＭ５５等に読み出し自在に記録されているプログラムを読み出して、当該プログラムの実行のための制御を行うことにより、ＣＰＵの他の領域において、機能手段としての送受信データ制御部６３及び送受信レベル制御部６５が実現される。また、この制御手段６１は、周知の通り、ＭＰＵ５０を動作させるための所要の制御を行うが、その点については、この発明の主旨ではないので説明を省略する。
【００４３】
また、端末装置１０は、キーボード、マイクロホンなどの入力手段、ディスプレイ、スピーカなどの出力手段、及び記憶装置等を備える構成とすることができるが、いずれも、周知のものを用いれば良く、ここでは説明を省略する。
【００４４】
送信部２１及び受信部２３は、送受信データ制御部６３と送受信アンテナ４１とを接続するように並列に設けられている。送受信データ制御部６３で生成された信号は、送信部２１を経て、送受信アンテナ４１から他の端末装置に対して発信（送信ともいう。）される。また、他の端末装置から送信された信号は、送受信アンテナ４１で受信された後、受信部２３を経て送受信データ制御部６３に送られる。なお、送信部２１は後段に増幅部を備える構成であって、送信電力設定部３１からの指令に応じて、増幅率、すなわち、送信電力を設定することができる。
【００４５】
送受信レベル制御部６５は、送信部２１から送信する信号の送信電力を、送信先である他の端末装置ごとに、最小電力から最大電力までの予め定められた２以上の異なる電力から選択されたいずれかの送信電力に設定することができる。送信電力を、最小電力、最大電力、及び最小と最大の中間電力としたとき、これらの送信電力に設定する送信レベルとして、最小送信レベル、最大送信レベル及び中間送信レベルが、プログラムによってＲＯＭ５５に記録されているとする。また、このＲＯＭ５５には、プログラムによって、無線通信ネットワークを構成することが可能な全ての端末装置を特定する識別情報が登録されているとする。尚、この実施形態では、これら送信レベルや識別情報を予めＲＯＭ５５に登録しておくことを前提としているが、そのようにする代わりに、ＲＡＭ等の他のメモリに、読み出し自在に随時書き込んでも良い。そのような場合には、送信レベルの追加や、新たな端末装置の追加があっても、対応可能となる。
【００４６】
送受信レベル制御部６５は、送信先の端末装置の識別情報（無線ＬＡＮの場合は、例えば、ＭＡＣアドレス）と当該端末装置に対する送信レベルとを、送信レベルテーブルとして、ＲＡＭ５３又はＭＰＵ５０の外部記憶装置（図示を省略する。）に対する登録或いは読み出しを行う。送受信レベル制御部６５は、入力手段からの指示に応答して、ＲＯＭ５５から所定の送信レベルを読み出してきて、送信電力設定信号を生成するか、或いは、指示された送信先端末に対する識別情報と送信レベルとを送信レベルテーブルから読み出して来て、指定の送信先端末に応じた送信電力設定信号を生成する。
【００４７】
送受信レベル制御部６５は、送信電力設定部３１に接続されていて、送信電力設定部３１に、送信電力設定信号を送る。送信電力設定信号を受け取った送信電力設定部３１は、送信電力設定信号に基づいて、送信部２１から送信する信号の送信電力を、送受信レベル制御部６５で指定された送信レベルに対応する送信電力に設定する。
【００４８】
また、送受信レベル制御部６５は、受信電力検出部３３に接続されている。受信電力検出部３３は、受信部２３で受信した信号の受信電力を検出して、この受信電力を受信電力検出信号として送受信レベル制御部６５に送る。送受信レベル制御部６５は、受信電力を対応する受信レベルとして、ＲＡＭ５３又は外部記憶装置に記録する。
【００４９】
送信部２１、受信部２３、送信電力設定部３１、及び、受信電力検出部３３は周知のものを用いれば良く、ここでは説明を省略する。
【００５０】
図２を参照して、第１実施形態の送信電力設定方法に用いられるアドホック無線通信ネットワークについて説明する。アドホック無線通信ネットワークは、特定のアクセスポイントを介さずに、端末装置同士が、直接、相手と通信する無線通信ネットワークである。図２は、アドホック無線通信ネットワーク（以下、単に、無線通信ネットワークと称することもある。）５の構成を説明するための概略図であり、一例として第１の端末装置１０ａを中心として示した図である。無線通信ネットワーク５は、設定に応じた個数の端末装置を備える構成とすることが出来るが、ここでは、第１の端末装置１０ａの他に、第２〜５の端末装置１０ｂ、１０ｃ、１０ｄ及び１０ｅを備えて構成されているものとして説明する。また、第１〜５の端末装置１０ａ〜１０ｅは、いずれも、図１を参照して説明した端末装置１０と同様の構成とする。
【００５１】
第１の端末装置（以下、送信元端末と称することもある。）１０ａは、上述したように、最小電力から最大電力までの異なる送信電力で送信信号を送信することができる。以下の説明では、送信元端末１０ａは、最小電力、最大電力及び中間電力の３段階の送信電力で信号の送信を行うものとする。なお、設定に応じて４段階以上の送信電力で信号の送信を行うようにしても良いし、最小電力及び最大電力の２段階の送信電力で信号の送信を行うようにしても良い。
【００５２】
ここでは、送信元端末１０ａが、最小電力で信号の送信を行った場合に通信可能な範囲を最小送信範囲９１と称し、中間電力で信号の送信を行った場合に通信可能な範囲を中間送信範囲９３と称し、また、最大電力で信号の送信を行った場合に通信可能な範囲を最大送信範囲９５と称する。また、第２の端末装置１０ｂは、最小送信範囲９１の領域内に位置し、第３の端末装置１０ｃは、中間送信範囲９３の領域内であって、かつ最小送信範囲９１の領域外に位置し、また、第４の端末装置１０ｄは、最大送信範囲９５の領域内であって、かつ中間送信範囲９３の領域外に位置しているものとする。第５の端末装置１０ｅは、無線通信ネットワーク５を構成する端末装置であるが、送信元端末１０ａの最大送信範囲９５の領域外に位置している。従って、この例では、送信元端末１０ａと第５の端末装置１０ｅとは、直接通信を行うことはできない。なお、以下の説明では、第２〜５の端末装置１０ｂ〜１０ｅを送信先端末と称することもある。
【００５３】
図３を参照して、第１実施形態の送信電力設定方法の動作について説明する。図３は、送信元端末における第１実施形態の送信電力設定方法を説明するための処理フローを示す図である。
【００５４】
送信元端末１０ａでの送信電力設定は、図１を参照して説明した端末装置１０の制御手段６１が、ネットワークの運用方針に基づいて予め定められた時間間隔で、ＲＯＭ５５からプログラムを読み出して、実行することで行われる。ＲＯＭ５５には、既に説明した通り、送信電力設定を行うために必要なプログラム、及び、送信信号の送信電力である最小電力、最大電力、及び中間電力にそれぞれ対応する最小送信レベル、最大送信レベル、及び中間送信レベルが登録されているとともに、ネットワークを構成する全ての端末の識別情報が登録されている。さらに、ＲＯＭ５５には、送信先端末に接続を要求するための接続要求データと、接続要求があったときの応答データとが登録されている。
【００５５】
Ｓ１０（Ｓは処理ステップを示す記号。以下、同様）では、入力手段からの指令により、送信元端末１０ａは初期設定を行う。ＲＡＭ５３は初期化され、ＲＯＭ５５に登録されている、無線通信ネットワークを構成する他の端末装置（送信先端末）を特定する識別情報がＲＯＭ５５から読み出されてＲＡＭ５３の送信レベルテーブルに登録される。このとき、この送信テーブルには、各送信先端末に対する送信レベルは未登録である。
【００５６】
Ｓ２０で送信元端末１０ａは、入力手段からの最小電力指定の指示に応答して送信電力を最小電力に設定して、接続要求信号を最小電力で発信する。送信電力の設定は、例えば、以下のように行われる。先ず、送受信レベル制御部６５は、入力手段からの指示を受けて、ＲＯＭ５５から最小信号レベルを読み出してきて、送信部２１からの信号の送信電力を最小に設定するように、最小信号レベルに対応した送信電力設定信号を送信電力設定部３１に送る。次に、送信電力設定部３１は、送信電力設定信号に応答して、送信部２１に対して信号を最小電力で送信するように設定する。一方、この送信電力設定信号に応答して、送信元端末１０ａの送受信データ制御部６３は、ＲＡＭ５３のテーブルに登録されている全ての識別情報と接続要求データとを読み出してきて、両者を合成することによって、送信先の識別情報を含む接続要求信号を生成する。接続要求信号は、送信部２１を経て設定された最小電力で送受信アンテナ４１から、無線通信ネットワーク５を構成する全ての端末装置に対して送信される。このように、接続要求信号には、送信元端末１０ａ及び送信先端末の識別情報が含まれている信号とする。なお、無線通信ネットワークが無線ＬＡＮ（Ｌｏｃａｌ  Ａｒｅａ  Ｎｅｔｗｏｒｋ）である場合、端末装置間の信号の送受信は、フレーム（レイヤ２のデータリンク層を扱うデータ）単位で行われ、各フレームには、送信元の端末装置及び送信先の端末装置の識別情報がＭＡＣ（Ｍｅｄｉａ  Ａｃｃｅｓｓ  Ｃｏｎｔｒｏｌ）アドレスとして含まれる。尚、１つの接続要求信号に全ての送信先端末の識別情報を含ませるか、或いは、１つの送信先端末の識別情報を含ませるかは、単なる設計上の問題である。
【００５７】
Ｓ３０で、送信元端末１０ａは、接続要求信号を受信した送信先端末から応答信号を受信する。この過程は、以下のように行われる。
【００５８】
接続要求信号を受信した送信先端末は、接続要求信号に応答して、送信元端末１０ａに対して、当該送信先端末の識別情報を含む応答信号を送信する。なお、送信先端末の構成は、送信元端末の構成と同じである。送信先端末の送受信データ制御部６３は、送信元端末からの接続要求信号を、送受信アンテナ４１及び受信部２３を介して受け取る。送信先端末の送受信データ制御部６３は、応答信号を生成する。この応答信号の生成は、送信元端末の識別情報を接続要求信号から抽出するとともに、ＲＯＭ５５から応答データを読み出してきて両者を合成して行う。この送受信データ制御部６３は、この送信先端末の識別情報を含む応答信号を、当該識別信号で特定される端末装置、すなわち、送信元端末に対して、最大電力で送信する。送信元端末１０ａは、接続要求信号の送信後一定時間待機し、その間に応答信号を受信したか否かで応答信号の受信の有無を判定する。
【００５９】
Ｓ４０で、送信元端末１０ａの送受信データ制御部６３は、受信した応答信号から識別情報を抽出する。
【００６０】
Ｓ５０で、送信元端末１０ａの送受信データ制御部６３は、抽出された識別情報と、予め送信レベルテーブルに登録された識別情報とを照合する。照合の結果、一致する識別情報がある場合は、当該識別情報と接続要求信号の送信電力とを対応付けて、メモリの送信レベルテーブルに登録する。送信電力が最小電力の場合は、最小電力に設定する最小送信レベルを、送信レベルとして登録する。
【００６１】
最小送信レベルの登録後、Ｓ６０で、送信元端末１０ａは、接続要求信号の再発信を行う。ここでは、送信元端末１０ａは、最小送信レベルの登録に応答して、送信電力を中間電力に設定して、接続要求信号を中間電力で送信する。この場合には、最小送信レベルを中間レベルに置き換えて最小電力での接続要求信号の送信の場合と同様に行えば良い。
【００６２】
中間電力で接続要求信号の送信後、Ｓ３０及びＳ４０の過程を行う。その後、Ｓ５０で、送信元端末１０ａの送受信データ制御部６３は、抽出された識別情報と、予め送信レベルテーブルに登録された識別情報とを照合する。照合の結果、一致する識別情報がある場合は、当該識別情報と接続要求信号の送信電力とを対応付けて、メモリの送信レベルテーブルに登録する。送信電力が中間電力の場合は、一致する識別情報のうち、最小送信レベルが登録か未登録かを判別する。判別の結果、未登録の識別情報に対してのみ、中間電力に設定する中間送信レベルを、送信レベルとして登録し、一方、登録済みの識別情報に対しては、最小送信レベルをそのまま保存する。
【００６３】
中間送信レベルの登録後、Ｓ６０で、送信元端末１０ａは、接続要求信号の再送信を行う。ここでは、送信元端末１０ａは、中間送信レベルの登録に応答して、送信電力を最大電力に設定して、接続要求信号を最大電力で送信する。この場合には、最小送信レベルを最大レベルに置き換えて最小電力での接続要求信号の送信の場合と同様に行えば良い。
【００６４】
最大電力で接続要求信号の送信後、Ｓ３０及びＳ４０の過程を行う。その後、Ｓ５０で、送信元端末１０ａの送受信データ制御部６３は、抽出された識別情報と、予め送信レベルテーブルに登録された識別情報とを照合する。照合の結果、一致する識別情報がある場合は、当該識別情報と接続要求信号の送信電力とを対応付けて、メモリの送信レベルテーブルに登録する。送信電力が最大電力の場合は、一致する識別情報のうち、最小送信レベル及び中間送信レベルが登録か未登録を判別する。判別の結果、未登録の識別情報に対してのみ、最大電力に設定する最大送信レベルを、送信レベルとして登録し、一方、登録済みの識別情報に対しては、最小送信レベル又は中間送信レベルをそのまま保存する。
【００６５】
最大送信レベルの登録後、送信元端末１０ａは、送信電力設定を終了する。
【００６６】
図３、図４及び図５を参照して、第１実施形態の送信電力設定方法の動作の例について説明する。図４は、第１実施形態の送信電力設定方法を説明するための処理シーケンスを示す図である。図５（Ａ）〜図５（Ｄ）は、第１実施形態の送信電力設定方法の説明に供する、送信レベルの決定過程を示す図である。ここで、各端末１０ａ〜１０ｅに対する識別情報を、ＭＡＣアドレスとする。第１の端末装置１０ａに対する識別情報を００：００：００：００：００：０１（以下、簡単のため（０１）で表すこともある。）とし、第２の端末装置１０ｂに対する識別情報を００：００：００：００：００：０２（以下、簡単のため（０２）で表すこともある。）とし、第３の端末装置１０ｃに対する識別情報を００：００：００：００：００：０３（以下、簡単のため（０３）で表すこともある。）とし、第４の端末装置１０ｄに対する識別情報を００：００：００：００：００：０４（以下、簡単のため（０４）で表すこともある。）とし、第５の端末装置１０ｄに対する識別情報を００：００：００：００：００：０５（以下、簡単のため（０５）で表すこともある。）とする。また、最小送信レベル、中間送信レベル及び最大送信レベルを、それぞれ"１"、"２"及び"３"とし、送信レベルの設定無しの状態を"−"で示す。
【００６７】
Ｓ１０の初期設定の後、Ｓ２０で、送信電力を最小電力に設定して、送信元端末１０ａは、無線通信ネットワーク５を構成する全ての送信先端末に対して、接続要求信号Ｍ１１を送信する。このときのメモリの送信レベルテーブルは、各識別情報に対して、送信レベルの設定が無い状態にある（図５（Ａ）参照）。なお、ここでは、接続要求信号をＭ１１の符号で代表し、送信先端末である、第２〜第５の端末装置１０ｂ〜１０ｅのそれぞれに対する接続要求信号をＭ１１−１〜４で表す。以下では、送信先端末毎に同様の枝番をつけて信号を区別する。
【００６８】
この例では、最小送信範囲９１の領域内に位置する送信先端末は、第２の端末装置１０ｂのみである。第２の端末装置１０ｂは、最小電力で送信された接続要求信号Ｍ１１−１を受信する。第３〜５の端末装置１０ｃ〜１０ｅは、最小送信範囲９１の領域外に位置するので、接続要求信号Ｍ１１−２〜４を受信しない。第２の端末装置１０ｂの送受信データ制御部６３は、接続要求信号Ｍ１１−１の受信に応答して、応答信号Ｍ２１−１を生成し、この応答信号Ｍ２１−１を送信元端末１０ａに対して最大電力で送信する。
【００６９】
Ｓ３０で、送信元端末１０ａは、第２の端末装置１０ｂから応答信号Ｍ２１−１を受信する。
【００７０】
Ｓ４０で、送信元端末１０ａは、第２の端末装置１０ｂに対して、送信電力の登録を行う。接続要求信号Ｍ１１を最小電力で送信しているので、応答信号Ｍ２１−１を受信した場合は、応答信号Ｍ２１−１から抽出された識別情報（０２）と一致する識別情報、すなわち、第２の端末装置１０ｂを特定する識別情報（０２）に対して最小送信レベル"１"を送信レベルテーブルに登録する。その結果を、図５（Ｂ）に示す。
【００７１】
最小送信レベルの登録後、送信元端末１０ａは、接続要求信号Ｍ１３（Ｍ１３−１、Ｍ１３−２、Ｍ１３−３及びＭ１３−４）を生成し、接続要求信号Ｍ１３を，中間電力で順次に送信する。
【００７２】
接続要求信号Ｍ１３を受信した送信先端末は、接続要求信号Ｍ１３に応答して、送信元端末１０ａに対して応答信号Ｍ２３を送信する。この例では、中間送信範囲９３の領域内に位置する送信先端末は、第２及び第３の端末装置１０ｂ及び１０ｃである。第２の端末装置１０ｂは、接続要求信号Ｍ１３−１の受信に応答して、応答信号Ｍ２３−１を生成し、この応答信号Ｍ２３−１を送信元端末１０ａに対して最大電力で送信する。また、第３の端末装置１０ｃは、接続要求信号Ｍ１３−２の受信に応答して、応答信号Ｍ２３−２を生成し、この応答信号Ｍ２３−２を送信元端末１０ａに対して最大電力で送信する。第４及び第５の端末装置１０ｄ及び１０ｅは、中間送信範囲９３の領域外に位置するので、接続要求信号Ｍ１３−３及びＭ１３−４を受信しない。
【００７３】
Ｓ３０で、送信元端末１０ａは、第２の端末装置１０ｂから応答信号Ｍ２３−１を、及び、第３の端末装置１０ｃから応答信号Ｍ２３−２を受信する。
【００７４】
Ｓ４０で、送信元端末１０ａは、第２の端末装置１０ｂ及び第３の端末装置１０ｃに対して、送信レベルの設定を行う。接続要求信号Ｍ１３を中間電力で送信しているので、応答信号Ｍ２３−１及びＭ２３−２を受信した場合は、応答信号Ｍ２３−１及びＭ２３−２から抽出された識別情報（０２）及び（０３）と一致する識別情報のうち、最小送信レベルが未登録の識別情報（０３）に対して中間送信レベル"２"を送信レベルテーブルに登録する。ここでは、識別情報が（０２）に対応する第２の端末装置１０ｂに対しては最小送信レベル"１"が既に登録されているので、新たに登録を行わない。一方、第３の端末装置１０ｃに対しては、最小送信レベルが未登録なので、第３の端末装置１０ｃを特定する識別情報（０３）に対して、中間送信レベル"２"を送信レベルテーブルに登録する。その結果を図５（Ｃ）に示す。
【００７５】
中間送信レベルの登録後、送信元端末１０ａは、接続要求信号Ｍ１５（Ｍ１５−１、Ｍ１５−２、Ｍ１５−３及びＭ１５−４）を生成し、接続要求信号Ｍ１５を、最大電力で順次に送信する。
【００７６】
接続要求信号Ｍ１５を受信した送信先端末は、接続要求信号Ｍ１５に応答して、送信元端末１０ａに対して応答信号Ｍ２５を送信する。この例では、最大送信範囲９５の領域内に位置する送信先端末は、第２〜４の端末装置１０ｂ〜ｄである。第２の端末装置１０ｂは、接続要求信号Ｍ１５−１の受信に応答して、応答信号Ｍ２５−１を生成し、この応答信号Ｍ２５−１を送信元端末１０ａに対して最大電力で送信する。また、第３の端末装置１０ｃは、接続要求信号Ｍ１５−２の受信に応答して、応答信号Ｍ２５−２を生成し、この応答信号Ｍ２５−２を送信元端末１０ａに対して最大電力で送信する。さらに、第４の端末装置１０ｄは、接続要求信号Ｍ１５−３の受信に応答して、応答信号Ｍ２５−３を生成し、この応答信号Ｍ２５−３を送信元端末１０ａに対して最大電力で送信する。なお、第５の端末装置１０ｅは、最大送信範囲９５の領域外に位置するので、接続要求信号Ｍ１５−４を受信しない。
【００７７】
Ｓ３０で、送信元端末１０ａは、第２の端末装置１０ｂから応答信号Ｍ２５−１を、第３の端末装置１０ｃから応答信号Ｍ２５−２を、及び、第４の端末装置１０ｄから応答信号Ｍ２５−３を受信する。
【００７８】
Ｓ４０で、送信元端末１０ａは、第２の端末装置１０ｂ、第３の端末装置１０ｃ及び第４の端末装置１０ｄに対して、送信レベルの設定を行う。接続要求信号Ｍ１５を最大電力で送信しているので、応答信号Ｍ２５−１、Ｍ２５−２及びＭ２５−３を受信した場合は、応答信号Ｍ２５−１、Ｍ２５−２及びＭ２５−３から抽出された識別情報（０２）、（０３）及び（０４）と一致する識別情報のうち、最小送信レベル"１"及び中間送信レベル"２"が未登録の識別情報に対して、最大送信レベル"３"を送信レベルテーブルに登録する。ここでは、第２の端末装置１０ｂに対しては最小送信レベル"１"が既に登録されていて、第３の端末装置１０ｃに対しては中間送信レベル"２"が既に登録されているので、新たに登録は行わない。一方、第４の端末装置１０ｄに対しては、最小送信レベル又は中間送信レベルが未登録なので、第４の端末装置１０ｄに対して、最大送信レベル"３"を送信レベルテーブルに登録する。その結果を図５（Ｄ）に示す。最大送信レベルの登録後、送信レベルの設定を終了する。尚、第５の端末装置１０ｅに対応する送信レベルは、未登録のままとなる。
【００７９】
この第１実施形態の送信電力設定方法によれば、最小電力から最大電力まで、順次に送信電力を上げていく構成となっているので、最適な送信レベルに設定することができ、このことにより、低消費電力が実現できる。なお、最小電力または中間電力で、接続要求信号を送信した際に、無線通信ネットワークを構成する他の全ての端末装置から応答信号を受信した場合は、最大電力での接続要求信号の送信を行わずに、送信電力設定の過程を終了する構成としても良い。
【００８０】
ここでは、第１の端末装置１０ａを送信元端末として、送信先端末である第２〜第５の端末装置１０ｂ〜１０ｅは最大電力で送信している場合について説明したが、第２〜第５の端末装置１０ｂ〜１０ｅにおいても、順次に送信元端末と同様の送信電力設定を行えば、各端末装置において、適切な送信レベルに設定される。
【００８１】
また、上述の送信電力設定を、アドホック無線通信ネットワークの運用方針に応じて定められた時間間隔で行えば、端末装置間の距離が変わるなど、必要な送信電力が変化しても、送信元端末において好適な送信レベルが保たれる。
【００８２】
このように、個々のアドホック無線通信ネットワーク用端末装置において送信電力の最適化が測られるので、電波干渉が低減され、通信に関わっていない端末装置間においても通信を行うことが可能となる。
【００８３】
（第２実施形態）
図６を参照して、第２実施形態の送信電力設定方法について説明する。図６は、送信元端末における第２実施形態の送信電力設定方法を説明するための処理フローを示す図である。第１実施形態の送信電力設定方法では、送信元端末１０ａは、接続要求信号を最小電力、中間電力及び最大電力の順序で送信する例につき説明した。これに対し、第２実施形態では、送信元端末１０ａが、接続要求信号を最大電力、中間電力及び最小電力の順序で、すなわち第１実施形態とは逆の順序で送信する点が異なる。端末装置１０及び無線通信ネットワーク５の構成は、第１実施形態と同様なので、ここでは説明を省略する。
【００８４】
Ｓ１５では、入力手段からの指令により送信元端末１０ａは初期設定を行う。第１実施形態の場合と同様に、ＲＡＭ５３は初期化され、ＲＯＭ５５に登録されている、無線通信ネットワークを構成する他の端末装置（送信先端末）を特定する識別情報がＲＡＭ５３の送信レベルテーブルに登録される。このとき、送信レベルテーブルには、各送信先端末に対する送信レベルは未登録である。
【００８５】
Ｓ２５で送信元端末１０ａは、入力手段からの最小電力指定の指示に応答して送信電力を最大電力に設定して、接続要求信号を発信する。送信電力の設定は、第１実施形態で説明したのと同様なので説明を省略する。
【００８６】
Ｓ３５で、送信元端末１０ａは、接続要求信号を受信した送信先端末から応答信号を受信する。
【００８７】
Ｓ４５で、送信元端末１０ａの送受信データ制御部６３は、受信した応答信号から識別情報を抽出する。
【００８８】
Ｓ５５で、送信元端末１０ａの送受信データ制御部６３は、抽出された識別情報と、予め送信レベルテーブルに登録された識別情報とを照合する。照合の結果、一致する識別情報がある場合は、当該識別情報と接続要求信号の送信電力とを対応付けて、メモリの送信レベルテーブルに登録する。第２実施形態では、送信電力にかかわらず、接続要求信号を送信した際の送信電力に設定する。ここでは、送信電力が最大電力なので、最大電力に設定する最大送信レベルを送信レベルとして登録する。
【００８９】
最大送信レベルの登録後、Ｓ６５で、送信元端末１０ａは、接続要求信号の再発信を行う。ここでは、送信元端末１０ａは、最大送信レベルの登録に応答して、送信電力を中間電力に設定して、接続要求信号を中間電力で送信する。この場合には、最大送信レベルを中間送信レベルに置き換えて、最大電力での接続要求信号の送信の場合と同様に、行えば良い。
【００９０】
中間電力で接続要求信号の送信後、Ｓ３５及びＳ４５の過程を行う。その後、Ｓ５５で、送信元端末１０ａの送受信データ制御部６３は、抽出された識別情報と、予め送信レベルテーブルに登録された識別情報とを照合する。照合の結果、一致する識別情報がある場合は、当該識別情報と接続要求信号の送信電力とを対応付けて、メモリの送信レベルテーブルに登録する。送信電力が中間電力なので、中間電力に設定する中間送信レベルを、送信レベルとして登録する。
【００９１】
中間送信レベルの登録後、Ｓ６５で、送信元端末１０ａは、接続要求信号の再送信を行う。ここでは、送信元端末１０ａは、中間送信レベルの登録に応答して、送信電力を最小電力に設定して、接続要求信号を最小電力で送信する。この場合には、最大送信レベルを中間送信レベルに置き換えて最大電力での接続要求信号の送信の場合と同様に行えば良い。
【００９２】
最小電力で接続要求信号の送信後、Ｓ３５及びＳ４５の過程を行う。その後、Ｓ５５で、送信元端末１０ａの送受信データ制御部６３は、抽出された識別情報と、予め送信レベルテーブルに登録された識別情報とを照合する。照合の結果、一致する識別情報がある場合は、当該識別情報と接続要求信号の送信電力とを対応付けて、メモリの送信レベルテーブルに登録する。送信電力が最小電力なので、最小電力に設定する最小送信レベルを、送信レベルとして登録する。
【００９３】
最小送信レベルの登録後、送信元端末１０ａは、送信電力設定を終了する。
【００９４】
図６、図７及び図８を参照して、第２実施形態の送信電力設定方法の例について説明する。図７は、第２実施形態の送信電力設定方法を説明するための処理シーケンスを示す図である。図８（Ａ）〜図８（Ｄ）は、第２実施形態の送信電力設定方法の説明に供する、送信レベルの決定過程を示す図である。ここで、各端末１０ａ〜１０ｅに対する識別情報を第１実施形態で説明したのと同様とする。また、最小送信レベル、中間送信レベル、及び最大送信レベルを、それぞれ"１"、"２"及び"３"とし、送信レベルの設定無しの状態を"−"で示す。
【００９５】
Ｓ１５の初期設定の後、Ｓ２５で、送信電力を最大電力に設定して、送信元端末１０ａは、無線通信ネットワーク５を構成する全ての送信先端末に対して、接続要求信号Ｍ１５を送信する。このときのメモリの送信レベルテーブルは、各識別情報に対して、送信レベルの設定が無い状態である（図８（Ａ）参照）。
【００９６】
この例では、最大送信範囲９５の領域内に位置する送信先端末は、第２〜４の端末装置１０ｂ〜ｄである。第２の端末装置１０ｂは、接続要求信号Ｍ１５−１の受信に応答して、応答信号Ｍ２５−１を生成し、この応答信号Ｍ２５−１を送信元端末１０ａに対して最大電力で送信する。また、第３の端末装置１０ｃは、接続要求信号Ｍ１５−２の受信に応答して、応答信号Ｍ２５−２を生成し、この応答信号Ｍ２５−２を送信元端末１０ａに対して最大電力で送信する。さらに、第４の端末装置１０ｄは、接続要求信号Ｍ１５−３の受信に応答して、応答信号Ｍ２５−３を生成し、この応答信号Ｍ２５−３を送信元端末１０ａに対して最大電力で送信する。なお、第５の端末装置１０ｅは、最大送信範囲９５の領域外に位置するので、接続要求信号Ｍ１５−４を受信しない。
【００９７】
Ｓ３５で、送信元端末１０ａは、第２の端末装置１０ｂから応答信号Ｍ２５−１を、第３の端末装置１０ｃから応答信号Ｍ２５−２を、及び、第４の端末装置１０ｄから応答信号Ｍ２５−３を受信する。
【００９８】
Ｓ４５で、送信元端末１０ａは、第２の端末装置１０ｂ、第３の端末装置１０ｃ及び第４の端末装置１０ｄに対して、送信電力の設定を行う。接続要求信号Ｍ１５を最大電力で送信しているので、応答信号Ｍ２５−１、Ｍ２５−２及びＭ２５−３を受信した場合は、応答信号Ｍ２５−１、Ｍ２５−２及びＭ２５−３から抽出された識別情報（０２）、（０３）及び（０４）と一致する識別情報に対して、最大送信レベル"３"を送信レベルテーブルに登録する。ここでは、第２の端末装置１０ｂ、第３の端末装置１０ｃ及び第４の端末装置１０ｄに対して、最大送信レベルを送信レベルテーブルに登録する。その結果を図８（Ｂ）に示す。
【００９９】
最大送信レベルの登録後、送信元端末１０ａは、接続要求信号Ｍ１３（Ｍ１３−１、Ｍ１３−２、Ｍ１３−３及びＭ１３−４）を生成し、接続要求信号Ｍ１３を，中間電力で順次に送信する。
【０１００】
接続要求信号Ｍ１３を受信した送信先端末は、接続要求信号Ｍ１３に応答して、送信元端末１０ａに対して応答信号Ｍ２３を送信する。この例では、中間送信範囲９３の領域内に位置する送信先端末は、第２及び第３の端末装置１０ｂ及び１０ｃである。第２の端末装置１０ｂは、接続要求信号Ｍ１３−１の受信に応答して、応答信号Ｍ２３−１を生成し、この応答信号Ｍ２３−１を送信元端末１０ａに対して最大電力で送信する。また、第３の端末装置１０ｃは、接続要求信号Ｍ１３−２の受信に応答して、応答信号Ｍ２３−２を生成し、この応答信号Ｍ２３−２を送信元端末１０ａに対して最大電力で送信する。第４及び第５の端末装置１０ｄ及び１０ｅは、中間送信範囲９３の領域外に位置するので、接続要求信号Ｍ１３−３及びＭ１３−４を受信しない。
【０１０１】
Ｓ３５で、送信元端末１０ａは、第２の端末装置１０ｂから応答信号Ｍ２３−１を、及び、第３の端末装置１０ｃから応答信号Ｍ２３−２を受信する。
【０１０２】
Ｓ４５で、送信元端末１０ａは、第２の端末装置１０ｂ及び第３の端末装置１０ｃに対して、送信レベルの設定を行う。接続要求信号Ｍ１３を中間電力で送信しているので、応答信号Ｍ２３−１及びＭ２３−２を受信した場合は、応答信号Ｍ２３−１及びＭ２３−２から抽出された識別情報（０２）及び（０３）と一致する識別情報に対して中間送信レベル"２"を送信レベルテーブルに登録する。その結果を図８（Ｃ）に示す。
【０１０３】
中間送信レベルの登録後、送信元端末１０ａは、接続要求信号Ｍ１１（Ｍ１１−１、Ｍ１１−２、Ｍ１１−３及びＭ１１−４）を生成し、接続要求信号Ｍ１１を、最小電力で順次に送信する。
【０１０４】
接続要求信号Ｍ１１を受信した送信先端末は、接続要求信号Ｍ１１に応答して、送信元端末１０ａに対して応答信号Ｍ２１を送信する。この例では、最小送信範囲９１の領域内に位置する送信先端末は、第２の端末装置１０ｂのみである。第２の端末装置１０ｂは、最小電力で送信された接続要求信号Ｍ１１−１を受信する。第３〜５の端末装置１０ｃ〜１０ｅは、最小送信範囲９１の領域外に位置するので、接続要求信号Ｍ１１−２〜４を受信しない。第２の端末装置１０ｂの送受信データ制御部６３は、接続要求信号Ｍ１１−１の受信に応答して、応答信号Ｍ２１−１を生成し、この応答信号Ｍ２１−１を送信元端末１０ａに対して最大電力で送信する。
【０１０５】
Ｓ３５で、送信元端末１０ａは、第２の端末装置１０ｂから応答信号Ｍ２１−１を受信する。
【０１０６】
Ｓ４５で、送信元端末１０ａは、第２の端末装置１０ｂに対して、送信電力の登録を行う。接続要求信号Ｍ１１を最小電力で送信しているので、応答信号Ｍ２１−１を受信した場合は、応答信号Ｍ２１−１から抽出された識別情報（０２）と一致する識別情報、すなわち、第２の端末装置１０ｂを特定する識別情報（０２）に対して最小送信レベル"１"を送信レベルテーブルに登録する。その結果を図８（Ｄ）に示す。最小送信レベルの登録後、送信電力設定を終了する。尚、第５の端末装置１０ｅに対応する送信レベルは、未登録のままとなる。
【０１０７】
この第２実施形態の送信電力設定方法によれば、最大電力から最小電力まで、順次に送信電力を下げていく構成となっているので、第１実施形態と同様の最適な送信レベルに設定することができるとともに、応答信号を送信した全ての送信先端末に対する送信電力を登録できるので、最適な送信電力の設定に加えて、送信電力設定の過程が簡単になるという、更なる効果が得られる。
【０１０８】
第１実施形態及び第２実施形態では、第１の端末装置１０ａを送信元端末として、送信先端末である第２〜第５の端末装置１０ｂ〜１０ｅは最大電力で送信している場合について説明したが、第２〜第５の端末装置１０ｂ〜１０ｅにおいても、順次に送信元端末と同様の送信電力設定を行えば、各端末装置において、適切な送信レベルに設定される。
【０１０９】
また、上述の送信電力設定を、アドホック無線通信ネットワークの運用方針に応じて定められた時間間隔で行うことで、無線端末装置間の距離が変わるなど、必要な送信電力が変化しても、送信元端末において好適な送信レベルが保たれる。
【０１１０】
このように、個々のアドホック無線通信ネットワーク用端末装置において送信電力の最適化が測られるので、電波干渉が低減され、通信に関わっていない端末装置間においても通信を行うことが可能となる。
【０１１１】
上述の第１実施形態では、最小電力、中間電力、及び最大電力の順序の送信電力で、接続要求信号を送信する場合について説明し、また、第２実施形態では、最大電力、中間電力、及び最小電力の順序の送信電力で接続要求信号力を減少させる場合について説明したが、最小電力、中間電力、及び最大電力の順序は、上述の例に限られない。しかしながら、送信電力の設定を異なる順序で行う場合は、接続要求信号の送信信号を識別情報に対応付ける際に、設定された送信レベルと、接続要求信号の送信電力との大小の比較を行う必要がある。
【０１１２】
（第３実施形態）
図９及び図１０を参照して、第３実施形態の送信電力設定方法について説明する。図９は、送信元端末における第３実施形態の送信電力設定方法を説明するための処理フローを示す図である。図１０は、第３実施形態の送信電力設定方法を説明するための処理シーケンスを示す図である。端末装置１０及び無線通信ネットワーク５の構成は、第１実施形態と同様なので、ここでは説明を省略する。
【０１１３】
Ｓ１１０で、送信元端末１０ａの送受信データ制御部６３は、接続要求信号Ｍ１７を生成し、この接続要求信号Ｍ１７を最大電力で発信する。接続要求信号Ｍ１７を受信した送信先端末は、接続要求信号Ｍ１７に応答して、送信元端末１０ａに対して応答信号Ｍ２７を送信する。ここでは、送信先端末として第２の端末装置１０ｂを例として説明する。
【０１１４】
第２の端末装置１０ｂの送受信データ制御部６３は、接続要求信号Ｍ１７を受信する。第２の端末装置１０ｂの受信部２３での、接続要求信号Ｍ１７の受信電力が受信電力検出部３３で検出され、受信電力検出信号として、送受信レベル制御部６５に送られる。第２の端末装置１０ｂの送受信データ制御部６３は、接続要求信号Ｍ１７の受信に応答して応答信号Ｍ２７を生成する。このとき、送受信データ制御部６３は、送受信レベル制御部６５から、接続要求信号Ｍ１７の受信電力の大きさの情報を受信レベルとして受け取り、接続要求信号Ｍ１７の受信レベルを情報として含む応答信号Ｍ２７を生成する。送信先端末１０ｂは応答信号Ｍ２７を、送信元端末１０ａに対して送信する。
【０１１５】
Ｓ１２０で、送信元端末１０ａは、送信先端末１０ｂから、応答信号Ｍ２７を受信する。送信元端末１０ａの受信部２３での、応答信号Ｍ２７の受信電力が受信電力検出部３３で検出され、受信電力検出信号として、送信元端末１０ａの送受信レベル制御部６５へ送られる。
【０１１６】
Ｓ１３０で、送信元端末１０ａの送受信データ制御部６３は、応答信号Ｍ２７から、送信先端末１０ｂが送信先端末１０ｂを特定する識別情報、及び、送信先端末での接続要求信号Ｍ１７の受信電力の情報を抽出する。接続要求信号Ｍ１７を送信した際の送信レベルである最大電力及び受信電力の差を計算することにより、送信元端末１０ａから送信先端末１０ｂに送信された信号に対する電力減衰量を算出する。送信電力を電力減衰量に等しい大きさとすると、送信先端末１０ｂでは、受信電力が周囲のノイズの大きさと同程度になり、正常に受信できない可能性がある。
【０１１７】
そこで、最大電力と受信電力の差、すなわち、電力減衰量にマージンを加えたものを送信レベルと設定すれば、送信レベルを適切な状態にすることができる。マージンの大きさは、ネットワークの運用方針、又は、Ｓ／Ｎ比などの通信環境に基づいて設定することができる。マージンの設定は、入力手段から指示する構成としても良い。
【０１１８】
各送信先端末に対して最大電力で送信し、最大電力と、各送信先端末からの応答信号に含まれる、送信先端末での受信電力から、送信レベルを算出することができるので、一度の接続要求信号の送信により、無線通信ネットワークに含まれる全ての端末装置に対して、送信レベルを設定できる。
【０１１９】
送信レベルを、出力電力と受信電力との差にマージンを加えたものに設定するので、適切なレベルに設定することができる。
【０１２０】
（第４実施形態）
図１１及び図１２を参照して、第４実施形態の送信電力設定方法について説明する。図１１は、送信元端末における第４実施形態の送信電力設定方法を説明するための処理フローを示す図である。図１２は、第４実施形態の送信電力設定方法を説明するための処理シーケンスを示す図である。端末装置１０及び無線通信ネットワーク５の構成は、第１実施形態と同様なので、ここでは説明を省略する。また、Ｓ１１０からＳ１３０までは、第３実施形態と同じなので、ここでは説明を省略する。
【０１２１】
第４実施形態では、Ｓ１３０に続いて、Ｓ１４０で、送信元端末１０ａは、確認信号Ｍ３１を送信先端末１０ｂに送信する。確認信号Ｍ３１は、応答信号Ｍ２７の受信に応答して、送信元端末１０ａの送受信データ制御部６３で生成される。送受信データ制御部６３は、確認信号Ｍ３１の生成の際、送受信レベル制御部６５から応答信号Ｍ２７の受信電力の情報を受け取り、確認信号Ｍ３１に、応答信号Ｍ２７の受信電力を情報として含ませる。
【０１２２】
確認信号Ｍ３１を受信した送信先端末である、第２の端末装置１０ｂは、応答信号Ｍ２７を送信した際の送信電力と、確認信号Ｍ３１に含まれる送信元端末１０ａでの応答信号Ｍ２７の受信電力から、送信元端末１０ａへの送信レベルを算出する。この算出は、第３実施形態で説明した送信元端末での送信レベルの算出と同様に行われる。ここでは、応答信号Ｍ２７の送信電力と応答信号Ｍ２７の受信電力の差が、当該端末間での信号の減衰量に相当するので、送信電力と受信電力の差にマージンを加えたものを新たに送信レベルと設定すれば、送信レベルを適切な状態にすることができる。マージンの大きさは、第３実施形態と同様にネットワークの運用方針に基づいて設定することができる。送信先端末である第２の端末装置１０ｂは、上述したように送信レベルを設定し、当該送信レベルで、試験信号Ｍ４１を送信元端末に対して送信する。試験信号Ｍ４１は、第２の端末装置１０ｂの送受信データ制御部６３で生成される。送受信データ制御部６３は、試験信号Ｍ４１の生成の際、第２の端末装置１０ｂの送受信レベル制御部６５から、確認信号Ｍ３１の受信電力の情報を受け取り、試験信号Ｍ４１に受信電力の情報を含ませる。
【０１２３】
Ｓ１５０の試験信号受信過程では、送信元端末１０ａは、確認信号Ｍ３１を受信した第２の端末装置１０ｂから、確認信号受信電力を含む試験信号Ｍ４１を受信する。試験信号Ｍ４１の受信により、送信元端末１０ａは、設定した送信レベルで送信した確認信号Ｍ３１が、第２の端末装置１０ｂに到達したことを確認できる。送信元端末１０ａの送受信データ制御部６３は、試験信号Ｍ４１から、確認信号受信電力を抽出する。その後、確認信号受信電力と、確認信号Ｍ３１の送信電力とを比較する。確認信号受信レベルが、確認信号Ｍ３１を送信する際に付与したマージンと等しければ、設定した送信レベルが妥当と判断する。マージンと設定した送信レベルとが著しく異なっている場合は、Ｓ１１０からＳ１５０の過程を再度行うことで、送信レベルを調整することが出来る。
【０１２４】
Ｓ１６０のテスト確認信号送信過程では、送信元端末１０ａは、確認信号Ｍ３３を送信先端末１０ｂに送信する。確認信号Ｍ３３は、試験信号Ｍ４１の受信電力を情報として含んでいる。送信先端末１０ｂは、確認信号Ｍ３３を受信することで、設定した送信レベルで送信した試験信号Ｍ４１が、送信元端末１０ａに到達したことを確認できる。また、試験信号Ｍ４１の受信電力が、試験信号Ｍ３１を送信する際に付与したマージンと等しければ、設定した送信レベルが妥当と判断する。
【０１２５】
設定した送信レベルとマージンとが著しく異なっている場合は、第２の無線端末装置１０ｂを送信元端末として、Ｓ１１０からＳ１６０の過程を行うことなどで、送信レベルを調整することが出来る。
【０１２６】
送信元端末１０ａがディスプレイなどの出力手段を有している場合は、上述した各実施形態で説明した処理を行う際に用いる、送信レベルの設定状況などの情報をディスプレイに表示させることもできる。
【０１２７】
また、送信電力設定は、送信元端末のユーザが入力手段から送信レベルを入力して行っても良い。さらに、各実施形態で説明した処理を行うプログラムをＲＯＭ５５に備えるようにして、ユーザが入力手段から指定して、いずれかの処理を行う構成としても良い。
【図面の簡単な説明】
【０１２８】
【図１】アドホック無線通信ネットワークにおける端末装置の機能構成を説明するための概略図である。
【図２】アドホック無線通信ネットワークの構成を説明するための概略図である。
【図３】送信元端末における第１実施形態の送信電力設定方法の処理フローを示す図である。
【図４】第１実施形態の送信電力設定方法の処理シーケンスを示す図である。
【図５】第１実施形態の送信レベルの決定過程を示す図である。
【図６】送信元端末における第２実施形態の送信電力設定方法の処理フローを示す図である。
【図７】第２実施形態の送信電力設定方法の処理シーケンスを示す図である。
【図８】第２実施形態の送信レベルの決定過程を示す図である。
【図９】送信元端末における第３実施形態の送信電力設定方法の処理フローを示す図である。
【図１０】第３実施形態の送信電力設定方法の処理シーケンスを示す図である。
【図１１】送信元端末における第４実施形態の送信電力設定方法の処理フローを示す図である。
【図１２】第４実施形態の送信電力設定方法の処理シーケンスを示す図である。
【符号の説明】
【０１２９】
５    アドホック無線通信ネットワーク
１０    端末装置
１０ａ    端末装置（送信元端末）
１０ｂ、１０ｃ、１０ｄ、１０ｅ      端末装置（送信先端末）
２１    送信部
２３    受信部
３１    送信電力設定部
３３    受信電力検出部
４１    送受信アンテナ
５０    ＭＰＵ
５１    ＣＰＵ
５３    ＲＡＭ
５５    ＲＯＭ
６１    制御手段
６３    送受信データ制御部
６５    送受信レベル制御部
９１    最小送信範囲
９３    中間送信範囲
９５    最大送信範囲
【図１】
2006033601.tif 000003
【図２】
2006033601.tif 000004
【図３】
2006033601.tif 000005
【図４】
2006033601.tif 000006
【図５】
2006033601.tif 000007
【図６】
2006033601.tif 000008
【図７】
2006033601.tif 000009
【図８】
2006033601.tif 000010
【図９】
2006033601.tif 000011
【図１０】
2006033601.tif 000012
【図１１】
2006033601.tif 000013
【図１２】
2006033601.tif 000014